(57)【特許請求の範囲】
【請求項１】
記録すべき映像のデータストリームを取り込み、その伝送ビットレートを変換する伝送速度コンバータと、
前記データストリームと、前記伝送速度コンバータによって変換された伝送ビットレートを有するデータストリームとを切り換えるためのスイッチと、
前記伝送速度コンバータにおける伝送ビットレートの変換と前記スイッチにおける切り換えとを制御するマイクロコンピュータと、
前記スイッチを介して出力されたデータストリームを記録するための記録手段と、
前記スイッチを介して出力された前記データストリームに対して前記記録手段に記録するためのフォーマットを行うフォーマッタと、
前記記録すべき映像の伝送ビットレートを全体の記録時間にわたって制御するための伝送ビットレートと記録時間に対応して予め格納したルックアップテーブルと、
を具備し、前記マイクロコンピュータは、前記ルックアップテーブルを参照して前記伝送速度コンバータにおけるデータストリームの伝送ビットレートを調整すると共に、更に、前記記録すべき映像の記録時間と前記記録手段における記録可能時間とに基づいて前記スイッチにおける切り換えを制御することを特徴とする、記録画質調整装置。
【請求項２】
記録すべき映像の入力データストリームを取り込み、その伝送ビットレートを変換する伝送速度コンバータと、前記記録すべき映像の伝送ビットレートを全体の記録時間にわたって制御するための伝送ビットレートと記録時間に対応して予め格納するルックアップテーブルと、前記ルックアップテーブルを参照して前記伝送速度コンバータにおけるデータストリームの伝送ビットレートを調整するマイクロコンピュータとを少なくとも備えた記録画質調整装置における記録画質調整方法であって、前記マイクロコンピュータは、標準モード時におけるデータストリームの伝送ビットレートと、記録すべき映像の必要記録時間と、標準モード時における伝送ビットレートで記録した場合の記録媒体の記録可能時間とを決定し、前記マイクロコンピュータは、記録すべき映像の必要記録時間と、記録媒体の記録可能時間とを比較し、前記記録すべき映像の必要記録時間が、前記記録媒体の記録可能時間より小さい場合、前記マイクロコンピュータは、前記伝送速度コンバータを介さずに標準モード時における伝送ビットレートにて記録するように指示し、前記記録すべき映像の必要記録時間が、前記記録媒体の記録可能時間より大きい場合に、前記マイクロコンピュータは、前記ルックアップテーブルを参照してデータストリームの伝送ビットレートを制御する、ことを特徴とする記録画質調整方法。
【発明の詳細な説明】
【０００１】
【発明の属する技術分野】
本発明は、ＶＤＲ等のデジタル映像記録装置に関し、特に記録すべき映像を含むデータストリームの伝送速度を調整することにより、映像内容（ストーリー）に対応した適正な映像画質を提供する記録画質調整装置及びその調整方法に関する。
【０００２】
【従来の技術】
従来、記録すべき映像の必要記録時間が、例えばテープ等の記録媒体の標準モード（標準走行）での記録容量よりも長い場合に、記録すべき映像の全部を記録するために、最後の一部分をロングプレイモードに設定し（即ち、標準モードよりも低速走行にし）記録することにより、記録すべき映像の記録時間と記録媒体の記録容量を合わせている。
【０００３】
この場合、標準モードからロングプレイモードに切り換えて記録する時間の割り振りは以下のようになる。即ち、
▲１▼記録すべき映像の必要記録時間が４時間で、▲２▼標準モード（標準走行）でのテープ等の記録媒体容量が２時間で、▲３▼ロングプレイモード（低速走行）での記録媒体容量が標準モードの記録容量の３倍の場合に、
例えば、標準モードでの記録時間を１時間とすると、ロングプレイモードでの記録時間を３時間とすることにより、全体的に４時間の記録時間となり、記録すべき映像の必要記録時間を満足することができる。
【０００４】
【発明が解決しようとする課題】
しかしながら、上述の従来方式では以下の問題点がある。
即ち、上述の時間割り振り例のように、後半もしくは最後の部分をロングプレイモード（低速走行）にして記録することにより、全体的な記録時間は記録媒体の記録容量に合わせることができるが、ロングプレイモードに変化した部分から画質が急激に低下し、これを見ているユーザに画像品質上で違和感を与える問題がある。
【０００５】
さらに、記録すべき映像が映画の場合では、単純な方法（例えば、単純な時間割り振り）でロングプレイモード部分の位置を計算し、その位置からロングプレイモードに切り換えるようにしているので、その結果、映画のストーリーを意識してモード切り換えを行っていないために、映画の最後の方のハイライト部分や重要な部分の画質が低下してしまう問題がある。
【０００６】
本発明の目的は、急激な画質の変化を低減して映像を見ているユーザの違和感を無くし、かつ映画の場合には記録時間調整によってストーリーに合わせた画質調整を可能とする記録画質調整装置及び調整方法を提供することにある。
【０００７】
【課題を解決するための手段】
本発明の記録画質調整装置によれば、記録すべき映像のデータストリームを取り込み、その伝送ビットレートを変換する伝送速度コンバータと、前記データストリームと、前記伝送速度コンバータによって変換された伝送ビットレートを有するデータストリームとを切り換えるためのスイッチと、前記伝送速度コンバータにおける伝送ビットレートの変換と前記スイッチにおける切り換えとを制御するマイクロコンピュータと、前記スイッチを介して出力されたデータストリームを記録するための記録手段と、前記スイッチを介して出力された前記データストリームに対して前記記録手段に記録するためのフォーマットを行うフォーマッタと、前記記録すべき映像の伝送ビットレートを全体の記録時間にわたって制御するための伝送ビットレートと記録時間に対応して予め格納したルックアップテーブルと、を具備し、前記マイクロコンピュータは、前記ルックアップテーブルを参照して前記伝送速度コンバータにおけるデータストリームの伝送ビットレートを調整すると共に、更に、前記記録すべき映像の記録時間と前記記録手段における記録可能時間とに基づいて前記スイッチにおける切り換えを制御する。
【０００８】
また、本発明の記録画質調整方法によれば、上記の記録画質調整装置におけるマイクロコンピュータ３による記録画質調整方法であって、まず、標準モード時におけるデータストリームの伝送速度と、記録すべき映像の必要記録時間と、標準モード時における伝送速度で記録した場合の記録媒体の記録可能時間とを決定し、次に、記録すべき映像の必要記録時間と、記録媒体の記録可能時間とを比較し、次に、前記記録すべき映像の必要記録時間が、前記記録媒体の記録可能時間より小さい場合、前記伝送速度コンバータを介さずに標準モード時における伝送速度にて記録するように指示し、そして、前記記録すべき映像の必要記録時間が、前記記録媒体の記録可能時間より大きい場合には、前記ルックアップテーブルを参照してデータストリームの伝送速度を決定する。
【０００９】
【発明の実施の形態】
図１は本発明による記録画質調整装置のブロック構成図である。図示のように、記録画質調整装置は、記録されるべく入力されたデータストリームを切り換えるスイッチ１と、入力されたデータストリームを取り込み伝送速度（伝送レートとも称する）を変換する伝送速度コンバータ２と、マイクロコンピュータ３と、フロッピーディスクやハードディスクのフォーマットを行うフォーマッタ４と、記録装置５と、ルックアップテーブル６とで構成される。
【００１０】
入力されたデータストリームはスイッチ１をａ側に切り換えた場合には直接フォーマッタ４に入力され、フォーマッタ４にて所定のフォーマットを指定した後、記録装置５に格納される。
また、データストリームは伝送速度コンバータ２にも入力され、マイクロコンピュータ３の制御のより記録すべき時間に合わせた伝送速度に制御される。さらに、ルックアップテーブル６には伝送速度を変化させるためのデータ曲線を格納し、マイクロコンピュータ３はこのデータ曲線を参照して決定した伝送速度で伝送速度コンバータ２の伝送速度を制御する。
【００１１】
図２は図１のマイクロコンピュータ３における制御フローチャートである。また、図３は図１のルックアップテーブル６に格納された伝送ビットレートと記録時間との関係を示すグラフである。
以下に詳述するように、例えばテレビジョンからの予約録画などのように記録すべき映像の記録量が分かっている場合、マイクロコンピュータ３が標準モードでの記録可能時間を算出し、記録媒体の記録容量に合わせるために、入力されているデータストリームの伝送速度を調整する。
【００１２】
まず、ステップＳ１にて、マイクロコンピュータ３は、標準モード時における伝送ビットレートと、記録すべき映像の必要記録量（時間）と、標準モード時における伝送ビットレートで記録した場合の記録媒体の記録可能時間と、を決定する。
次に、ステップＳ２にて、マイクロコンピュータ３は、記録すべき映像の必要記録時間（Ｎ）と、記録媒体の記録可能時間（Ｍ）とを比較する。
【００１３】
次に、ステップＳ３にて、記録すべき映像の必要記録時間（Ｎ）が、記録媒体の記録可能時間（Ｍ）より小さい場合（ステップＳ２のＮＯ）、マイクロコンピュータ３は、標準モード時における伝送ビットレートにて録画するように、図１のスイッチ１をａ側に接続し、データストリームをフォーマッタ４を介して記録装置５に格納する。この場合には、記憶すべき映像全体が標準モードで記憶されるので画質の低下は起こらない。
【００１４】
そして、ステップＳ４にて、記録すべき映像の必要記録時間（Ｎ）が、記録媒体の記録可能時間（Ｍ）より大きい場合（ステップＳ２のＹＥＳ）、即ち、記録すべき映像の必要記録時間（Ｎ）が、標準モードでの記録可能時間（Ｍ）を越えるとき（Ｎ＞Ｍ）、マイクロコンピュータ３は、ルックアップテーブル６を参照し、図３に示す全体の記録時間にわたって制御するための伝送ビットレート曲線に基づいて伝送ビットレートを決定する。この場合、マイクロコンピュータ３は、スイッチ１をｂ側に接続し、伝送速度コンバータ２で決められた伝送速度で入力されたデータストリームをフォーマッタ４を介して記録装置５に記録する。
【００１５】
図３において、縦軸は伝送ビットレートで、横軸は映像の最初から映像の最後までの映像時間である。また、中央の横線は平均伝送レートである。図示のように、映像の最初は、例えば映画であれば、ストーリーの導入部であり、一方、映像の最後は、映画のクライマックス部（ハイライト部）であるため、これらの部分については、その他の中間部分より高い伝送ビットレートで記録して映像画質を良くする。
【００１６】
【発明の効果】
以上説明したように、本発明による記録画質調整装置によれば、ルックアップテーブルに記録時間に対応した伝送ビットレートを格納し、記録すべき映像の必要記録時間が記録媒体の記憶可能時間よりながい場合に、映像のデータストリームの伝送速度を調整することにより、急激な画質の低下を防止することができる。さらに、映像が映画の場合では、一般的にユーザが気持ちを集中して見たい部分の画質を伝送速度により調整することで、ユーザにとって画質全体に対する印象を良くすることができる。
【図面の簡単な説明】
【図１】本発明による記録画質調整装置のブロック構成図である。
【図２】図１のマイクロコンピュータにおける制御フローチャートである。
【図３】図１のルックアップテーブルに格納された伝送ビットレートと記録時間との関係を示すグラフである。
【符号の説明】
１…スイッチ
２…伝送速度コンバータ
３…マイクロコンピュータ
４…フォーマッタ
５…記録装置
６…ルックアップテーブル
【図１】
0004142207.tif 000002
【図２】
0004142207.tif 000003
【図３】
0004142207.tif 000004